(57)【要約】【課題】噴出される液体を広い範囲で人体に当てることができ、簡易な構成を有する噴出ノズル部、ノズル、及び、噴出ノズル部付き浴槽を提供すること。【解決手段】浴槽１０の内部に液体を噴出するために、浴槽１０の壁部に配置される噴出ノズル部６０であって、液体の流路を形成し、一端が浴槽１０の内部に向って開口する管状部６２と、管状部６２の一端の開口の中央部分を塞ぐ中央壁６３と、中央壁６３の周囲に形成されて管状部６２の内部から浴槽１０の内部に向って開口する周囲開口６４１を形成する周囲開口形成部６４と、を有する噴出ノズル部６０である。【選択図】図４
2017074283.tif 000002
【特許請求の範囲】
【請求項１】
浴槽の内部に液体を噴出するために、前記浴槽の壁部に配置される噴出ノズル部であって、
液体の流路を形成し、一端が前記浴槽の内部に向って開口する管状部と、
前記管状部の一端の開口の中央部分を塞ぐ中央壁と、
前記中央壁の周囲に形成されて前記管状部の内部から前記浴槽の内部に向って開口する周囲開口を形成する周囲開口形成部と、を有する噴出ノズル部。
【請求項２】
前記周囲開口形成部は、前記中央壁の周縁部と、前記管状部の開口を形成している前記管状部の縁部とを有し、
前記管状部は円筒形状に形成され、
前記中央壁の周縁部は円形に形成され、
前記周囲開口は円環状に形成され、
前記中央壁の周縁部は、前記管状部の一端の開口よりも前記浴槽の内方に位置している請求項１に記載の噴出ノズル部。
【請求項３】
前記管状部の内部に対向する前記中央壁の管状部対向面は、前記中央壁の中心から周縁部に近づくにつれて前記浴槽の内方へ近づく錐体形状に形成されている請求項１又は請求項２に記載の噴出ノズル部。
【請求項４】
前記管状部の内径は、前記管状部の軸方向に沿って一定である請求項２又は請求項３のいずれかに記載の噴出ノズル部。
【請求項５】
前記管状部の内径は、前記中央壁の周縁部の直径よりも大きい請求項２〜請求項４のいずれかに記載の噴出ノズル部。
【請求項６】
前記中央壁は、前記管状部に固定され、
前記浴槽の内部に対向する前記中央壁の浴槽内部対向面には、前記浴槽の外方へ窪んだ窪み部が形成された請求項１〜請求項５のいずれかに記載の噴出ノズル部を、前記管状部の軸心方向を可変に支持するノズル本体を備えるノズル。
【請求項７】
請求項１〜請求項６のいずれかに記載の噴出ノズル部の前記周囲開口は、浴槽の内部の液体のみを、そのまま循環して噴出する、噴出ノズル部付き浴槽。
【発明の詳細な説明】
【技術分野】
【０００１】
本発明は、浴槽に取付けられる噴出ノズル部、ノズル、及び、噴出ノズル部付き浴槽に関する。
【背景技術】
【０００２】
従来より、水と空気の気泡混合噴流を浴槽の内部の水に噴出させてジェット噴流を発生させるジェットバス用の噴出ノズルが知られている。噴出ノズルは、先細り形状に形成された先細り管状部を有しており、先細り形状の先細り管状部の先端から気泡混合噴流が、浴槽の内部の水に対して噴出される（例えば、特許文献１）。
【先行技術文献】
【特許文献】
【０００３】
【特許文献１】特許第３１０８６９１号公報
【発明の概要】
【発明が解決しようとする課題】
【０００４】
しかしながら、従来の噴出ノズルでは、先細り形状の先細り管状部の先端から気泡混合噴流が噴出していたため、狭い範囲でジェット噴流が人体に当たる。このため、ジェット噴流による刺激が強すぎて、長時間ジェット噴流に当たり続けることができない。仮に、噴出ノズルの構成を変えずに、ジェット噴流の水流を弱めた場合には、人体に当たったときにくすぐったく感じ、長時間ジェット噴流に当たり続けることができない。上記公報には、水流によりノズル本体が回転する構成により、ジェット噴流を人体の特定の１箇所に当たらないようにする構成が開示されているが、依然として流路が先細り形状であることには変わりがなく、また、部品点数が増加し、製造工程が複雑になる。
【０００５】
本発明は上記に鑑みてなされたものであり、その目的は、噴出される液体を広い範囲で人体に当てることができ、簡易な構成を有する噴出ノズル部、ノズル、及び、噴出ノズル部付き浴槽を提供することにある。
【課題を解決するための手段】
【０００６】
上記目的を達成するため本発明は、浴槽（例えば、後述の浴槽１０）の内部に液体を噴出するために、前記浴槽の壁部に配置される噴出ノズル部（例えば、後述の噴出ノズル部６０）であって、液体の流路を形成し、一端が前記浴槽の内部に向って開口する管状部（例えば、後述の管状部６２）と、前記管状部の一端の開口の中央部分を塞ぐ中央壁（例えば、後述の中央壁６３）と、前記中央壁の周囲に形成されて前記管状部の内部から前記浴槽の内部に向って開口する周囲開口（例えば、後述の周囲開口６４１）を形成する周囲開口形成部（例えば、後述の周囲開口形成部６４）と、を有する噴出ノズル部を提供する。
【０００７】
前記周囲開口形成部は、前記中央壁の周縁部（例えば、後述の周縁部６３０）と、前記管状部の開口を形成している前記管状部の縁部とを有し、前記管状部は円筒形状に形成され、前記中央壁の周縁部は円形に形成され、前記周囲開口は円環状に形成され、前記中央壁の周縁部は、前記管状部の一端の開口よりも前記浴槽の内方に位置していることが好ましい。
【０００８】
前記管状部の内部に対向する前記中央壁の管状部対向面（例えば、後述の管状部対向面６３４）は、前記中央壁の中心から周縁部に近づくにつれて前記浴槽の内方へ近づく錐体形状に形成されていることが好ましい。また、前記管状部の内径は、前記管状部の軸方向に沿って一定であることが好ましい。また、前記管状部の内径は、前記中央壁の周縁部の直径よりも大きいことが好ましい。
【０００９】
また、本発明は、前記中央壁は、前記管状部に固定され、前記浴槽の内部に対向する前記中央壁の浴槽内部対向面（例えば、後述の浴槽内部対向面６３１）には、前記浴槽の外方へ窪んだ窪み部（例えば、後述の窪み部６３２）が形成された上記いずれかに記載の噴出ノズル部を、前記管状部の軸心方向を可変に支持するノズル本体（例えば、後述のノズル本体５１）を備えるノズルを提供する。
【００１０】
また、本発明は、上記のいずれかに記載の噴出ノズル部の前記周囲開口は、浴槽の内部の液体のみを、そのまま循環して噴出する、噴出ノズル部付き浴槽（例えば、後述の噴出ノズル部付き浴槽１００）を提供する。
【発明の効果】
【００１１】
本発明によれば、噴出される液体を広い範囲で人体に当てることができ、簡易な構成を有する噴出ノズル部、ノズル、及び、噴出ノズル部付き浴槽を提供できる。
【図面の簡単な説明】
【００１２】
【図１】本発明の一実施形態に係る噴出ノズル部付き浴槽１００を示す要部斜視図である。
【図２】本発明の一実施形態に係る噴出ノズル部付き浴槽１００における、浴槽１０の水をノズル５０へ流通させる構成を示す斜視図である。
【図３】本発明の一実施形態に係る噴出ノズル部６０を示す正面図である。
【図４】本発明の一実施形態に係る噴出ノズル部６０を示す断面図である。
【図５】本発明の一実施形態に係る噴出ノズル部６０の管状部６２の軸心方向Ｘを変えた様子を示す断面図である。
【図６】本発明の一実施形態に係る噴出ノズル部６０から噴出される液体の方向を示す模式図である。
【図７】従来の噴出ノズル部６０から噴出される液体の方向を示す模式図である。
【発明を実施するための形態】
【００１３】
以下、本発明の一実施形態について、図面を参照しながら詳細に説明する。
先ず、本発明の一実施形態に係る噴出ノズル部付き浴槽１００について、図１〜図５を参照しながら説明する。
図１は、本発明の一実施形態に係る噴出ノズル部付き浴槽１００を示す要部斜視図である。図２は、本発明の一実施形態に係る噴出ノズル部付き浴槽１００における、浴槽１０の水をノズル５０へ流通させる構成を示す斜視図である。図３は、本発明の一実施形態に係る噴出ノズル部６０を示す正面図である。図４は、本発明の一実施形態に係る噴出ノズル部６０を示す断面図である。図５は、本発明の一実施形態に係る噴出ノズル部６０の管状部６２の軸心方向Ｘを変えた様子を示す断面図である。
【００１４】
噴出ノズル部付き浴槽１００は、図１、図２に示すように、浴槽１０（図１参照）と、ポンプ２０と、２つのノズル５０（図２参照）と、ホース７１と、を有している。なお、説明の便宜上、図２においては、浴槽１０の図示を省略している。
浴槽１０は、内部に水（湯）を貯留可能である。２つのノズル５０は、浴槽１０の壁面に形成された２つの貫通孔に配置されており、浴槽１０の内部に液体である水（湯）を噴出する。
【００１５】
ノズル５０は、図４等に示すように、ノズル本体５１と、吸引口部５２と、噴出ノズル部６０と、を備えている。噴出ノズル部６０は、浴槽１０の内部に向って水（湯）を噴出する。ノズル本体５１は、噴出ノズル部６０を回動可能に支持する。吸引口部５２は、ノズル本体５１の周囲を取り囲むように配置され、浴槽１０内の水を吸い込む。ノズル本体５１の一部及び吸引口部５２は、浴槽１０の内部に配置され、ノズル本体５１の他の部分は、浴槽１０の外部に配置されている。
【００１６】
浴槽１０の外部に配置されている２つのノズル本体５１の部分は、それぞれ、噴出ノズル部６０から浴槽１０の内部に噴出するための水（湯）を供給する注水口５１１と、注水口５１１と噴出ノズル部６０との間の部分に形成され、エアをこの部分に流通する水（湯）に混合するための給気口５１２と、吸引口部５２を通してノズル５０へ流入した浴槽１０の内部の水（湯）をノズル５０からポンプ２０へ向けて排出する排出口５１３と、を有している。本実施形態では、給気口５１２は、封止キャップ５１５により封止されており、水（湯）にエア（気泡）は混合されない。従って、後述する噴出ノズル部６０の周囲開口６４１は、浴槽１０の内部の液体のみ噴出する。このため噴出ノズル部６０の周囲開口６４１から噴出される水（湯）には、浴槽１０の内部の水（湯）に対して意図的に混合される気泡は含まれないが、浴槽１０の内部の水（湯）に存在していた気泡は含まれている。
【００１７】
２つのノズル５０は、ホース７１によって、浴槽１０の近傍に配置され防音カバー２１０により覆われたポンプ２０に接続されている。ポンプ２０は、防振架台２１１に支持されたポンプ架台２１２により支持されている。ポンプ２０は、吸引口２０１と吐出口２０２とを備えている。２つのノズル５０の吸引口部５２は、中継ホース７２により連通しており、ポンプ２０の吸引口２０１は、ホース７１及び中継ホース７２を介してノズル５０の排出口５１３に連通している。吐出口２０２は、三方弁２２１及びホース７１を介してノズル本体５１の注水口５１１に接続されている。三方弁２２１は、ポンプ架台２１２上に固定された三方弁架台２２２により支持されている。
【００１８】
ポンプ２０が駆動することにより、ノズル５０の吸引口部５２から吸引された浴槽１０の内部の水（湯）は、ホース７１及び中継ホース７２を介してポンプ２０へ流通する。そして、水（湯）は、ポンプ２０からホース７１へ吐出され、ホース７１は途中で２つに分岐し、分岐したそれぞれのホース７１を介して、水（湯）は、ノズル５０のノズル本体５１の注水口５１１へ流通し、ノズル本体５１の内部を通り、噴出ノズル部６０の内部に流通し、噴出ノズル部６０から浴槽１０の内部へ噴出される。
また、ポンプ２０には、三方弁２２１を介して肩湯用ホース７３が接続されており、ポンプ２０から吐出された水（湯）は、三方弁２２１を介して肩湯用ホース７３へ流通し、噴出ノズル部付き浴槽１００の使用者の肩に噴出される。
【００１９】
次に、噴出ノズル部６０について、図３〜図５を参照して説明する。
以下の説明では、後述の球状基部６１から中央壁６３へ向う方向を前方向と定義し、その逆方向を後方向と定義し、これらを前後方向と定義する。
【００２０】
図４に示すように、噴出ノズル部６０は、球状基部６１と、管状部６２と、中央壁６３と、周囲開口形成部６４と、を有している。球状基部６１は、外径が略球状に形成されている。球状基部６１は、ノズル本体５１に設けられた球面支持部５１６であって、球状基部６１の外径と略同一の径の球面の一部を有する球面支持部５１６に、球状基部６１の外面が面で当接することにより支持されて、ノズル本体５１に対して回転可能に支承されている。これにより、管状部６２の軸心方向Ｘを可変とすることができ、即ち、噴出ノズル部６０の向きを変えることができ、これにより、噴出ノズル部６０から噴出される水（湯）の向きを変えられる。
【００２１】
球状基部６１の後端部は、球面の一部が仮想平面で切り欠かれたような形状に形成されており、当該切り欠かれたような形状の部分には、当該仮想平面に直交するように、球状基部６１を貫通する貫通流路６１１が形成されている。貫通流路６１１には、ノズル本体５１の注水口５１１にホース７１を介して接続されたポンプ２０からの水（湯）が流通する。貫通流路６１１の内径は、球状基部６１の前端から球状基部６１の中心に至るまでの貫通流路６１１の部分では、貫通流路６１１の軸方向に沿って一定であるが、球状基部６１の中心から球状基部６１の後端に至るまでの貫通流路６１１の部分では、後方向に沿って徐々に拡径している。貫通流路６１１をこのような形状とすることにより、球状基部６１の肉厚を所定の値に維持して、球状基部６１の強度を維持する。
【００２２】
管状部６２は、円筒形状に形成されており、管状部６２の後端部は球状基部６１の前端部に一体成形されることにより接続されている。管状部６２の前端部は浴槽１０の内部に向って（前方へ向って）開口している。管状部６２は、球状基部６１を貫通する貫通流路６１１と同軸的な位置関係を有している。管状部６２の内部空間６２１は、球状基部６１の貫通流路６１１に連通しており、液体である水（湯）の流路を構成する。管状部６２の前端部を除いて、管状部６２の内径及び外径は、管状部６２の軸方向に沿って一定である。また、管状部６２の内径は、球状基部６１の前端から球状基部６１の中心に至るまでの貫通流路６１１の部分（貫通流路６１１において拡径していない部分）の内径と同一である。管状部６２の前端部の内径は、管状部６２の前端縁に向って僅かに拡径している。
【００２３】
中央壁６３は、管状部６２の前端部の開口の中央部分を塞ぐ位置関係で、管状部６２と同軸的な位置関係を有し、後方へ向って先細りする形状に形成された中空の略円錐形状に形成されている。従って、中央壁６３の周縁部６３０は円形に形成されており、浴槽１０の内部に対向する中央壁６３の前面である浴槽内部対向面６３１には、浴槽１０の外方（後方）へ窪んだ円錐形状の窪み部６３２が形成されている。また、管状部６２の内部に対向する中央壁６３の後面である管状部対向面６３４は、中央壁６３の中心から中央壁６３の周縁部６３０に近づくにつれて浴槽１０の内方（前方）へ近づくテーパ形状に形成されている。中央壁６３の周縁部６３０の直径よりも管状部６２の内径の方が大きい。また、図４に示すように、中央壁６３の周縁部６３０は、管状部６２の前端部よりも、浴槽１０の内方（前方）に位置している。
【００２４】
図３に示すように、中央壁６３は、４つのリブ６３６によって管状部６２の前端部に一体形成されて接続されている。リブ６３６は、中央壁６３の周縁部６３０の周方向へ９０°間隔で設けられている。中央壁６３の周囲に形成された空間であって、リブ６３６と、中央壁６３の周縁部６３０と、管状部６２の前端部とにより囲まれる空間は、図３において薄く塗りつぶして示したように、管状部６２の内部から浴槽１０の内部に向って開口する周囲開口６４１を構成する。前述のように中央壁６３の周縁部６３０は円形に形成されており、管状部６２は円筒形状に形成されていることから管状部６２の前端部の開口も円形状に形成されているため、周囲開口６４１も円環状に形成されている。ここで、円環状とは、完全な円環状を意味しておらず、リブ６３６によって中央壁６３の周縁部６３０の周方向へ４つに分断された略円環状を意味する。
【００２５】
上記構成による噴出ノズル部付き浴槽１００において、噴出ノズル部６０から噴出される水（湯）の流れ（広がり）について、説明する。図６は、本発明の一実施形態に係る噴出ノズル部６０から噴出される液体の方向を示す模式図である。図７は、従来の噴出ノズル部６０から噴出される液体の方向を示す模式図である。
【００２６】
噴出ノズル部６０に流入した水（湯）は、図４において矢印Ａで示すように、管状部６２の軸心に沿って一定の内径を有する管状部６２の内周面に沿って管状部６２の軸心に平行に管状部６２の内部空間を流れる。そして、中央壁６３の管状部対向面６３４に衝突し、図４において矢印Ｂで示すように、管状部対向面６３４に沿って、浴槽１０の内方（前方）へ流れ、周囲開口６４１から管状部６２の外部であって浴槽１０の内部へ流出する。このとき、周囲開口６４１は、管状部６２の軸心に対して所定の角度をなす方向へ開口しているように構成されているため、水（湯）は、この開口の方向へそれぞれ向けて噴出される。このため、図６に示すように、水（湯）は、広がりを有して、浴槽１０の内部へ向けて噴出される。
【００２７】
従って、例えば、図６に示すように、噴出ノズル部付き浴槽１００に入浴している使用者の背中Ｈの下部（腰）に向けて噴出ノズル部６０から水（湯）を噴出する場合には、噴出される水（湯）が腰に当たることにより、腰の表面において若干赤みを帯びるが、当該赤みが、本実施形態の場合には、当該使用者の腰全体に広がる。
【００２８】
これに対して、従来のように中央壁６３を有していない構成では、図７に示すように、水（湯）は、勢いよく直線状に近い方向で噴出される。例えば、従来の噴出ノズル部付き浴槽１００に入浴している使用者の腰に向けて噴出ノズル部６０から水（湯）を噴出する場合には、水（湯）は、腰において狭い範囲で勢いよく人体に当たるため、水（湯）が当たる箇所においては、局所的に丸く赤みを帯びて、刺激を強く感じる。
【００２９】
上記構成の実施形態による噴出ノズル部６０及び噴出ノズル部付き浴槽１００によれば、以下のような効果を得ることができる。
浴槽１０の内部に液体を噴出するために、浴槽１０の壁部に配置されるノズル５０の噴出ノズル部６０は、液体の流路を形成し、一端が浴槽１０の内部に向って開口する管状部６２と、管状部６２の一端の開口の中央部分を塞ぐ中央壁６３と、中央壁６３の周囲に形成されて管状部６２の内部から浴槽１０の内部に向って開口する周囲開口６４１を形成する周囲開口形成部６４と、を有する。
【００３０】
この構成により、中央壁６３によって管状部６２の一端（前端）の開口の中央部分が塞がれ、管状部６２の軸心方向Ｘに向って水（湯）が勢いよく噴出されることを抑えることができる。また、周囲開口６４１から分散して水（湯）を噴出することができるため、噴出ノズル部６０から噴出された水（湯）を、浴槽１０内において拡散させることができる。この結果、噴出ノズル部６０から噴出された水（湯）を、広い範囲で人体に当てることができ、更に、人体に当たる際に、水流に包み込まれるような感覚を享受できる。これにより、噴出ノズル部６０から噴出された水（湯）を、人体に優しく当てることができるため、長時間の入浴が可能である。又、管状部６２の一端（前端）の開口の中央部分を塞ぐように中央壁６３を配置させればよいため、比較的簡単な構成で、噴出ノズル部６０から噴出された水（湯）を、人体に優しく当てることができる。
【００３１】
また、周囲開口形成部６４は、中央壁６３の周縁部６３０と、管状部６２の開口を形成している管状部６２の縁部とを有し、管状部６２は円筒形状に形成され、中央壁６３の周縁部６３０は円形に形成され、周囲開口６４１は円環状に形成され、中央壁６３の周縁部６３０は、管状部６２の一端の開口よりも浴槽１０の内方（前方）に位置している。
【００３２】
この構成により、噴出ノズル部６０から噴出される水（湯）の方向を、管状部６２の軸心方向Ｘに対して所定の角度をなす方向とすることができ、周囲開口６４１から噴出される水（湯）を浴槽１０内においてより拡散させることができる。
【００３３】
また、管状部６２の内部に対向する中央壁６３の管状部対向面６３４は、中央壁６３の中心から周縁部６３０に近づくにつれて浴槽１０の内方へ近づく円錐形状に形成されている。この構成により、管状部６２の内部を流れてきた水（湯）を管状部対向面６３４に沿って管状部６２の軸心から離間するように流れを変えることができる。
【００３４】
また、管状部６２の内径は、管状部６２の軸方向に沿って一定である。この構成により、管状部６２の内部における水（湯）の流れを管状部６２の軸心に沿った直線状の流れに修正することができる。このように、直線状の流れに修正された水（湯）を中央壁６３の管状部対向面６３４に沿って浴槽１０の内部へ噴出させることができる。
【００３５】
また、管状部６２の内径は、中央壁６３の周縁部６３０の直径よりも大きい。この構成により、管状部６２の軸心に沿った直線状の流れと、中央壁６３に沿った流れと、の２つの流れで、噴出ノズル部６０から水（湯）を噴出させることができ、管状部６２の軸心から離れるように広がり過ぎないように水（湯）を噴出させることができる。
【００３６】
また、中央壁６３は、管状部６２に固定されている。浴槽１０の内部に対向する中央壁６３の浴槽内部対向面６３１には、浴槽１０の外方へ窪んだ窪み部６３２が形成されている。そしてノズル５０は、このような噴出ノズル部６０を管状部６２の軸心方向を可変に支持するノズル本体５１を備えている。この構成により、噴出ノズル部６０から噴出される水（湯）の噴出される方向を変えたいときに、例えば、噴出ノズル部付き浴槽１００の使用者が指を窪み部６３２に入れて、中央壁６３の向きを変えることにより、球状基部６１をノズル本体５１に設けられた球面支持部５１６に対して回動させて、容易に噴出ノズル部６０の方向、即ち、管状部６２の軸心方向Ｘを変えることができる。
【００３７】
噴出ノズル部付き浴槽１００においては、噴出ノズル部６０の周囲開口６４１は、浴槽１０の内部の液体のみを、そのまま循環して噴出する。
この構成により、噴出ノズル部６０から噴出される水（湯）の全体の流量を少なくすることができ、噴出ノズル部６０から噴出された水（湯）を、柔らかく人体に当てることができる。更に、水（湯）よりも温度が低いエアが混合されないため、水（湯）の温度の低下を抑えることができ、水（湯）の保温効果を向上させることができる。また、噴出ノズル部６０から水（湯）を噴出する際の流水音を小さくすることができ、噴出ノズル部付き浴槽１００の使用者におけるリラックス効果を高めることができる。また、階下騒音を小さくすることができるため、マンションなどの集合住宅でも噴出ノズル部付き浴槽１００を設置でき、設置環境の選択肢を広げることができる。
【００３８】
本発明は上記実施形態に限定されるものではなく、本発明の目的を達成できる範囲での変形、改良等は本発明に含まれる。
例えば、噴出ノズル部、ノズル、及び、噴出ノズル部付き浴槽の各部の構成は、上記実施形態における噴出ノズル部６０、ノズル５０、及び、噴出ノズル部付き浴槽１００の各部の構成に限定されない。例えば、管状部や中央壁や周囲開口等の構成は、本実施形態における管状部６２や中央壁６３や周囲開口６４１等の構成に限定されない。また、窪み部６３２、管状部対向面６３４は、円錐形状に形成されていたが、円錐形状に限定されず、例えば、三角錐形状等であってもよい。また、中央壁６３は、４つのリブ６３６によって管状部６２の前端部に一体形成されて接続されていたが、この構成に限定されない。
【符号の説明】
【００３９】
１０…浴槽
５０…ノズル
５１…ノズル本体
６０…噴出ノズル部
６２…管状部
６３…中央壁
６４…周囲開口形成部
６３０…周縁部
６３１…浴槽内部対向面
６３２…窪み部
６３４…管状部対向面
６４１…周囲開口
Ｘ…軸心方向
【図１】
2017074283.tif 000003
【図２】
2017074283.tif 000004
【図３】
2017074283.tif 000005
【図４】
2017074283.tif 000006
【図５】
2017074283.tif 000007
【図６】
2017074283.tif 000008
【図７】
2017074283.tif 000009